(57)【要約】【課題】本発明は、スクリーンとミラーの取り付け作業が容易で、かつ光学的な配置が正確であるプロジェクションテレビを提供することを目的とする。【解決手段】本発明によるプロジェクションテレビは、前面キャビネット２と、前面キャビネット２に係合するスクリーン・ミラー一体保持部材４と、スクリーン・ミラー一体保持部材４によって保持されるスクリーン１と、スクリーン・ミラー一体保持部材４によって保持されるミラー７とを備えることを特徴とする。【選択図】図２
2009192601.tif 000002
【特許請求の範囲】
【請求項１】
前面キャビネットと、
前記前面キャビネットに係合するスクリーン・ミラー一体保持部材と、
前記スクリーン・ミラー一体保持部材によって保持されるスクリーンと、
前記スクリーン・ミラー一体保持部材によって保持されるミラーと、
を備える、プロジェクションテレビ。
【請求項２】
背面キャビネットをさらに備え、
前記スクリーン・ミラー一体保持部材に設けられた締結部と前記背面キャビネットとをネジ止めによって固定することを特徴とする、請求項１に記載のプロジェクションテレビ。
【請求項３】
前記スクリーン・ミラー一体保持部材は金属製であり、前記スクリーン・ミラー一体保持部材の所定部分を覆うとともに、前記スクリーン・ミラー一体保持部材と前記スクリーンとの間、前記スクリーン・ミラー一体保持部材と前記ミラーとの間にそれぞれ配置される保護カバーをさらに備えることを特徴とする、請求項１に記載のプロジェクションテレビ。
【請求項４】
前記保護カバーは、硬質塩化ビニール樹脂によって押出成形されることを特徴とする、請求項１に記載のプロジェクションテレビ。
【請求項５】
前記保護カバーは、前記スクリーンとの接触部分に第１の弾性突起部を有することを特徴とする、請求項１に記載のプロジェクションテレビ。
【請求項６】
前記第１の弾性突起部は、軟質塩化ビニール樹脂によって押出成形されることを特徴とする、請求項１に記載のプロジェクションテレビ。
【請求項７】
前記保護カバーは、前記ミラーとの接触部分に第２の弾性突起部を有することを特徴とする、請求項１に記載のプロジェクションテレビ。
【請求項８】
前記第２の弾性突起部は、軟質塩化ビニール樹脂によって押出成形されることを特徴とする、請求項１に記載のプロジェクションテレビ。
【請求項９】
前記保護カバーは、結合・分離可能なスクリーン保護カバーとミラー保護カバーとから構成されることを特徴とする、請求項３に記載のプロジェクションテレビ。
【請求項１０】
前記スクリーン・ミラー一体保持部材は、硬質塩化ビニール樹脂によって押出成形されることを特徴とする、請求項１に記載のプロジェクションテレビ。
【請求項１１】
前記スクリーン・ミラー一体保持部材は、内側に金属製のミラー保持部材を備えることを特徴とする、請求項１０に記載のプロジェクションテレビ。
【請求項１２】
前記スクリーン・ミラー一体保持部材は、前記スクリーンとの接触部分に第３の弾性突起部を有することを特徴とする、請求項１０に記載のプロジェクションテレビ。
【請求項１３】
前記第３の弾性突起部は、軟質塩化ビニール樹脂によって押出成形されることを特徴とする、請求項１０に記載のプロジェクションテレビ。
【請求項１４】
前記スクリーン・ミラー一体保持部材は、前記ミラーとの接触部分に第４の弾性突起部を有することを特徴とする、請求項１０に記載のプロジェクションテレビ。
【発明の詳細な説明】
【技術分野】
【０００１】
本発明はプロジェクションテレビに関し、特にスクリーンおよびミラーの取り付け構造に特徴を有するプロジェクションテレビに関する。
【背景技術】
【０００２】
従来のプロジェクションテレビでは、前面キャビネットにスクリーンを取り付ける際や、背面キャビネットにミラーを取り付ける際に、部品点数が多くて取り付けの作業性が悪くなるという問題があった。
【０００３】
このような問題の改善策として、前面キャビネットに４辺のスクリーン保持部材をネジで締結することによってスクリーンを前面キャビネットに固定しているものがある（例えば、特許文献１参照）。また、背面キャビネットに取り付けられたミラーの上部をミラー保持部材で固定しているものもある（例えば、特許文献２参照）。さらに、スクリーンを固定する部材とミラーを固定する部材とをネジによって同時に固定しているものもある（例えば、特許文献３参照）。
【０００４】
【特許文献１】特開平１０−４２２３０号公報
【特許文献２】特開平７−１２０８３８号公報
【特許文献３】特開２００１−２５１５７０号公報
【発明の開示】
【発明が解決しようとする課題】
【０００５】
従来のプロジェクションテレビは、スクリーン保持部材を前面ベゼルに、ミラー保持部材を背面ベゼルにそれぞれネジで締結するため、組立の作業時間がかかる。また、スクリーン、前面ベゼル、およびスクリーン保持部材のそれぞれの組立寸法公差と、ミラー、背面ベゼル、ミラー保持部材のそれぞれの組立寸法公差の積み上げによって、スクリーン上の結像面とミラーの反射面との光学的な配置が不正確になるという問題がある。さらに、合成樹脂で形成された背面キャビネットが画面サイズが大きくて質量が重い場合において、ミラーを支持するミラー保持部材が変形してしまい映像が歪むという問題がある。
【０００６】
本発明は、これらの問題を解決するためになされたもので、スクリーンとミラーの取り付け作業が容易で、かつ光学的な配置が正確であるプロジェクションテレビを提供することを目的とする。
【課題を解決するための手段】
【０００７】
上記の課題を解決するために、本発明によるプロジェクションテレビは、前面キャビネットと、前面キャビネットに係合するスクリーン・ミラー一体保持部材と、スクリーン・ミラー一体保持部材によって保持されるスクリーンと、スクリーン・ミラー一体保持部材によって保持されるミラーとを備えることを特徴とする。
【発明の効果】
【０００８】
本発明によると、スクリーン・ミラー一体保持部材は前面キャビネットに係合し、スクリーンはスクリーン・ミラー一体保持部材によって保持され、ミラーはスクリーン・ミラー一体保持部材によって保持されるため、スクリーンとミラーの取り付け作業が容易で、かつ光学的な配置が正確なプロジェクションテレビを提供することができる。
【発明を実施するための最良の形態】
【０００９】
本発明の実施形態について、図面を用いて以下に説明する。
【００１０】
〈実施形態１〉
図１は、本発明の実施形態１によるプロジェクションテレビの断面図である。図１に示すように、前面キャビネット２と背面キャビネット３とからなるプロジェクションテレビの筐体内部には、例えば、ＤＬＰ（Ｄｉｇｉｔａｌ  Ｌｉｇｈｔ  Ｐｒｏｃｅｓｓｉｎｇ）方式のプロジェクターエンジンなど映像を出力する映像表示装置６、前面キャビネット２に固定されたスクリーン１、映像表示装置６から投射された光を反射してスクリーン１に投影するガラス製のミラー７を備えている。スクリーン・ミラー一体保持部材４と保護カバー５とは、一体となって組み合わされて前面キャビネット２に係合されている。すなわち、スクリーン１およびミラー７は、スクリーン・ミラー一体保持部材４によって保持されており、保護カバー５はスクリーン・ミラー一体保持部材４の所定部分を覆うとともに、スクリーン・ミラー一体保持部材４とスクリーン１との間、スクリーン・ミラー一体保持部材４とミラー７との間にそれぞれ配置されている。なお、スクリーン・ミラー一体保持部材４は金属製であり、保護カバー５は例えば硬質塩化ビニール樹脂製であって押出成形または射出成形により形成される。
【００１１】
図２は、本発明の実施形態１によるスクリーン・ミラー一体保持部材４の周辺の断面図である。図２に示すように、スクリーン・ミラー一体保持部材４の上面に形成された係合穴４３は、前面キャビネット２の係合部２１と係合止されている。また、スクリーン・ミラー一体保持部材４の背面側に形成された締結部４５は、背面キャビネット３とネジ８によって締結されている。
【００１２】
スクリーン・ミラー一体保持部材４の係合突起４１および係合溝４２は、それぞれ保護カバー５のＡ弾性係合部５２およびＢ弾性係合部５３に係合し、滑り落ちないように嵌合寸法を調整することで固定されている。保護カバー５には、スクリーン１との接触部分にスクリーン１を傷つけないように弾性突起５１（第１の弾性突起部）が設けられ、ミラー７との接触部分であるミラー保持部４４にミラー７を傷つけないように弾性突起（第２の弾性突起部）５５が設けられている。なお、これらの弾性突起は、軟質塩化ビニール樹脂などによって一体押出形成されたものである。
【００１３】
以上のことから、スクリーン・ミラー一体保持部材４に係合して固定された保護カバー５の形状によってスクリーン１およびミラー７の配置位置が決まるため、前面キャビネット２や背面キャビネット３の組立による寸法公差の影響を受けることなく精度良く配置することができる。また、ミラー保持部４４が金属製の折り曲げ形状のスクリーン・ミラー一体保持部材４と保護カバー５とから構成されるため剛性が高くなり、ミラー７の自重による変形の問題もない。さらに、保護カバー５によって、ネジ８による締結固定時や取り外し時に生じる金属や樹脂などの細かい屑がスクリーン１およびミラー７に付着することを防止する効果がある。
【００１４】
〈実施形態２〉
本実施形態２では、実施形態１の保護カバー５が結合・分離可能なスクリーン保護カバー１０５とミラー保護カバー１５０とから構成されることを特徴としている。
【００１５】
図３は、本発明の実施形態２によるスクリーン・ミラー一体保持部材４の周辺の断面図であり、図４は、本発明の実施形態２によるスクリーン保護カバー１０５およびミラー保護カバー１５０の拡大図である。図３および図４に示すように、スクリーン保護カバー１０５のＡ弾性係合部１５２はスクリーン・ミラー一体保持部材４の係合突起と係合され、ミラー保護カバー１５０のＢ弾性係合部１５３はスクリーン・ミラー一体保持部材４の係合溝に係合し、滑り落ちないように嵌合寸法を調整することで固定されている。スクリーン保護カバー１０５のＣ弾性係合部１５５とミラー保護カバー１５０のＤ弾性係合部１５６とは弾性係合されている。スクリーン保護カバー１０５にはスクリーン１との接触部分にスクリーンを傷つけないように弾性突起１５１が設けられ、ミラー保護カバー１５０にはミラー７との接触部分にミラー７を傷つけないように弾性突起１５４が設けられている。なお、これらの弾性突起は軟質塩化ビニール樹脂などによって一体押出形成されたものである。また、他の構成については実施形態１と同様であるため説明を省略する。
【００１６】
図５は、本発明の実施形態２によるスクリーン保護カバー１０５とミラー保護カバー１５０との係合部分の上記と異なる態様を示す拡大図である。スクリーン保護カバー１０５のＥ弾性係合部１５７とミラー保護カバー１５０のＦ弾性係合部１５８とは、図５に示すような形状で係合してもよい。
【００１７】
以上のことから、保護カバーが結合・分離可能なスクリーン保護カバー１０５とミラー保護カバー１５０とから構成されるため、組立作業が容易になる。
【００１８】
〈実施形態３〉
本実施形態３では、スクリーン・ミラー一体保持部材２０５を硬質塩化ビニール製とし、ミラー保持部を金属製のミラー保持部材２０４で補強した構成としていることを特徴とする。その他の構成については、実施形態１と同様であるため説明を省略する。
【００１９】
図６は、本発明の実施形態３によるスクリーン・ミラー一体保持部材２０５の周辺の断面図である。図６に示すように、スクリーン・ミラー一体保持部材２０５の上面に形成された係合穴２４３は、前面キャビネット２０２の締結部２２１と係合されている。また、前面キャビネット２０２の締結部２２１と背面キャビネット３との間にスクリーン・ミラー一体保持部材２０５とミラー保持部材２０４とを挟んで締結されている。ミラー保持部材２０４は、スクリーン・ミラー一体保持部材２０５の内側に配置されている。
【００２０】
スクリーン・ミラー一体保持部材２０５には、スクリーン１との接触部分にスクリーン１を傷つけないように弾性突起２５１（第３の弾性突起部）が設けられ、ミラー７との接触部分であるミラー保持部２４４にミラー７を傷つけないように弾性突起２５５（第４の弾性突起部）が設けられている。なお、弾性突起２５１、２５５は軟質塩化ビニール樹脂などによって一体押出形成されたものである。また、スクリーン・ミラー一体保持部材２０５は硬質塩化ビニールなどによって押出形成されたものであり、ミラー保持部材２０４は上述したように金属製である。
【００２１】
以上のことから、スクリーン・ミラー一体保持部材２０５を樹脂製とすることによって、従来よりも安価に作製することができる。また、スクリーン・ミラー一体保持部材２０５の内側に金属製のミラー保持部材２０４を備えることによって、ミラー７を保持するための強度を増すことができる。
【産業上の利用可能性】
【００２２】
本発明の活用例として、プロジェクションテレビに適用できる。
【図面の簡単な説明】
【００２３】
【図１】本発明の実施形態１によるプロジェクションテレビの断面図である。
【図２】本発明の実施形態１によるスクリーン・ミラー一体保持部材の周辺の断面図である。
【図３】本発明の実施形態２によるスクリーン・ミラー一体保持部材の周辺の断面図である。
【図４】本発明の実施形態２によるスクリーン保護カバーおよびミラー保護カバーの拡大図である。
【図５】本発明の実施形態２によるスクリーン保護カバーとミラー保護カバーとの係部分の拡大図である。
【図６】本発明の実施形態３によるスクリーン・ミラー一体保持部材の周辺の断面図である。
【符号の説明】
【００２４】
１  スクリーン、２  前面キャビネット、３  背面キャビネット、４  スクリーン・ミラー一体保持部材、５  保護カバー、６  映像表示装置、７  ミラー、８  ネジ、２１  係合部、４１  係合突起、４２  係合溝、４３  係合穴、４４  ミラー保持部、４５  締結部、５１  弾性突起、５２  Ａ弾性係合部、５３  Ｂ弾性係合部、１０５  スクリーン保護カバー、１５０  ミラー保護カバー、１５１  弾性突起、１５２  Ａ弾性係合部、１５３  Ｂ弾性係合部、１５５  Ｃ弾性係合部、１５６  Ｄ弾性係合部、１５７  Ｅ弾性係合部、１５８  Ｆ弾性係合部、２０２  前面キャビネット、２０４  ミラー保持部材、２０５  スクリーン・ミラー一体保持部材、２２１  締結部、２４３  係合穴、２４４  ミラー保持部、２５１  弾性突起。
【図１】
2009192601.tif 000003
【図２】
2009192601.tif 000004
【図３】
2009192601.tif 000005
【図４】
2009192601.tif 000006
【図５】
2009192601.tif 000007
【図６】
2009192601.tif 000008